(57)【要約】      （修正有）【課題】高度な予備知識を必要とすることなく、ＰＤＭ（Ｐｒｏｄｕｃｔ  Ｄａｔａ  Ｍａｎａｇｅｍｅｎｔ)システムに、複数製品の構成情報およびＢＯＭ（Ｂｉｌｌｓ  Ｏｆ  Ｍａｔｅｒｉａｌｓ：部品表）を簡単に登録する。【解決手段】製品データ生成装置２０は製品構成テンプレートおよびＢＯＭテンプレートを保持する。端末装置１０からの製品データ登録要求により、製品データ生成装置２０は登録製品に対応する製品構成テンプレートを読み出すとともに、登録する製品データ数分のキー情報を予約する。端末装置１０からキー情報を受信したら、製品データ生成装置２０は読み出したテンプレートにキー情報を付与する。次いで、端末装置１０でテンプレートにしたがって情報を入力する。所定の情報入力を完了したら、複数の製品データとＢＯＭを製品データ登録管理装置３０に登録する。【選択図】図７
2015007944.tif 000002
【特許請求の範囲】
【請求項１】
製品の構成要素を表す製品構成情報と、前記構成要素それぞれの構成を表す構成情報と属性を表す属性情報を有する部品情報と、を有する製品情報を、管理する製品情報管理システムであって、前記製品情報のテンプレートを保持するテンプレート記憶手段と、登録する製品情報の数を指定する登録製品情報数指定手段と、前記登録する製品情報に対応する前記テンプレートを呼出すテンプレート呼出し手段と、前記テンプレートに製品を識別するキー情報を付与するキー情報付与手段と、前記テンプレートに情報を入力する情報入力手段と、前記情報の入力されたテンプレートを新規製品情報として記憶する製品情報記憶手段を有することを特徴とする製品情報管理システム。
【請求項２】
前記情報入力手段が前記製品の製品名を入力する製品名入力手段を有し、前記キー情報と前記製品名とを紐付ける紐付け手段を有することを特徴とする請求項１に記載の製品情報管理システム。
【請求項３】
前記テンプレートが、前記製品構成情報のテンプレートと、前記部品情報のテンプレートを有することを特徴とする請求項１または請求項２に記載の製品情報管理システム。
【請求項４】
前記部品情報のテンプレートが、前記構成情報のテンプレートと、前記属性情報のテンプレートを有することを特徴とする請求項３に記載の製品情報管理システム。
【請求項５】
前記製品名に基づいて前記製品情報のテンプレートに類似製品の製品情報を設定する情報設定手段を有することを特徴とする請求項２乃至請求項４に記載の製品情報管理システム。
【請求項６】
製品の構成要素を表す製品構成情報と、前記構成要素それぞれの構成を表す構成情報と属性を表す属性情報を有する部品情報と、を有する製品情報を、管理する製品情報管理システムであって、前記製品情報のテンプレートを保持するテンプレート記憶手段と、登録する製品情報の数を指定する登録製品情報数指定手段と、前記登録する製品情報に対応する前記テンプレートを呼出すテンプレート呼出し手段と、前記テンプレートに製品を識別するキー情報を付与するキー情報付与手段と、前記テンプレートに情報を入力する情報入力手段と、前記情報の入力されたテンプレートを新規製品情報として記憶する製品情報記憶手段を有する製品情報管理システムの製品情報登録方法であって、登録製品情報数を入力する工程と、前記製品情報管理システムが前記登録製品情報数分のキー情報を予約する工程と、前記製品情報のテンプレートを前記テンプレート記憶手段から呼び出す工程と、前記キー情報を前記テンプレートに付与する工程と、前記テンプレートに情報を入力する工程と、前記テンプレートを前記製品情報管理システムに記憶する工程を有することを特徴とする製品情報登録方法。
【請求項７】
前記テンプレートを前記製品情報管理システムに記憶する工程が、複数の前記テンプレートを一括して記憶する工程であることを特徴とする請求項６に記載の製品情報登録方法。
【発明の詳細な説明】
【技術分野】
【０００１】
本発明は、ＰＤＭシステムおよびデータ登録方法に関する。
【背景技術】
【０００２】
ＰＤＭ(Ｐｒｏｄｕｃｔ  Ｄａｔａ  Ｍａｎａｇｅｍｅｎｔ)システムは、設計、製造に関するデータを一元管理するシステムである。各製品の構成データは、製品の構成要素である半製品、部品などの親子関係で示され、それぞれの構成要素の情報はＢＯＭ（Ｂｉｌｌｓ  Ｏｆ  Ｍａｔｅｒｉａｌｓ：部品表）として登録。管理される。
【０００３】
新規製品や設計変更などでＰＤＭにＢＯＭを登録する場合には、ＢＯＭの親子関係やバージョン情報等を正確に記載しなければならない。そしてこれらの情報を正確に記載するには関連するドキュメントを個々に参照するなどの手間が必要であり、初心者が登録作業を効率良く行うことは困難であった。
【０００４】
このような問題点を解決するために、登録作業を簡易に行う方法が提案されている。特許文献１には、予め表計算形式のＢＯＭマスターを作成しておき、読み出しと編集を行うＰＤＭシステムが開示されている。また、特許文献２にはＢＯＭのテンプレートを作成しておき、テンプレートを読み出して情報を入力するＰＤＭシステムが開示されている。
【先行技術文献】
【特許文献】
【０００５】
【特許文献１】特開２００５−３４６５３０号公報
【特許文献２】特開２００９−２３８０８６号公報
【発明の概要】
【発明が解決しようとする課題】
【０００６】
しかしながら、特許文献１、特許文献２のシステムでは、一つのＢＯＭを作成するたびにファイルを開いたり、保存したりしなければならず、登録するＢＯＭの数が多くなると、作業量が増大するという問題点があった。
【０００７】
本発明は、この問題点に鑑みてなされたものであり、複数のＢＯＭを簡単に登録することが可能なＰＤＭシステムを提供するものである。
【課題を解決するための手段】
【０００８】
上記の課題を解決するため、本発明のＰＤＭシステムでは、有している。
【発明の効果】
【０００９】
本発明によれば、複数のＢＯＭを少ない作業量でＰＤＭシステムに登録できる。
【図面の簡単な説明】
【００１０】
【図１】本発明第１の実施の形態のＰＤＭシステムを示すブロック図である。
【図２】本発明第１の実施の形態の製品構成テンプレートの一例である。
【図３】本発明第１の実施の形態の製品構成情報の一例である。
【図４】本発明第１の実施の形態のＢＯＭテンプレートを示すブロック図である。
【図５】本発明第１の実施の形態の構成テンプレート入力例を示す表である。
【図６】本発明第１の実施の形態の情報テンプレートを入力例示す表である。
【図７】本発明第１の実施の形態の動作を示すシーケンス図である。
【図８】本発明第２の実施の形態の動作を示すシーケンス図である。
【発明を実施するための形態】
【００１１】
次に、本発明の実施の形態について図面を参照して詳細に説明する。
（第１の実施の形態）
図１は本発明第１の実施の形態におけるＰＤＭシステム１００を示すブロック図である。端末装置１０と、製品データ生成装置２０と、製品データ登録装置３０がネットワークで接続されている。
【００１２】
端末装置１０は、データや通信を制御する制御手段１１と、データの入出力を行う入出力手段１２と、表示手段１３を有する。端末装置１０は典型的にはパーソナルコンピュータやサーバなどである。表示手段１２はディスプレイなどであり、製品データ登録操作に必要な情報を表示する。入出力手段１３は情報入力および出力を行う手段であり、パーソナルコンピュータであれば、キーボードやマウス、プリンタなどである。
【００１３】
製品データ生成装置２０は、データや通信を制御する制御手段２１と、テンプレートを保持するテンプレート記憶手段２２、キー情報付与手段２３、製品構成データ生成手段２４、ＢＯＭ生成手段２５を有する。テンプレートには、製品の構成を示すのに用いる製品構成テンプレート４０と、各構成要素のＢＯＭに用いるＢＯＭテンプレート５０がある。キー情報付与手段２３は、情報を入力するための製品構成テンプレート４０、ＢＯＭテンプレート５０にキー情報を付与する。ここでいうキー情報とは個々の製品データを識別するための情報であり、例えば製品番号や製品名などを用いることができる。ＢＯＭ生成手段２４は、ＢＯＭテンプレート５０に入力された情報に基づいてＢＯＭを生成する手段である。
【００１４】
製品データ登録装置３０は、データや通信を制御する制御手段３１と、製品構成データを保持する製品構成情報記憶手段３２と、ＢＯＭを保持するＢＯＭ記憶手段３３を有する。ＢＯＭ記憶手段３３は、ＢＯＭに記録された構成情報を記憶する構成情報記憶手段３４と、ＢＯＭに記録された属性情報を記憶する属性情報記憶手段３５を有する。なお構成情報記憶手段３４と属性情報記憶手段３５は、ＢＯＭ記憶手段３３と分離して設けられ、データが紐付けされるようになっていても良い。
【００１５】
本発明のＰＤＭシステムは、複数の製品データを作成または編集して保存できるという特徴を有する。ここでいう製品データとは、製品の構成要素（ドキュメント類などの属性情報も含む）と、各構成要素の情報を示すＢＯＭ（部品表）とのセットのことである。
【００１６】
図２に製品構成テンプレート４０の一例を示す。製品の種類と構成要素がマトリクス状に配列されている。列の数は登録する製品データ数に対応し、行の数は構成要素の数に対応する。図２の例では登録する製品データ数をｎとし、構成要素として、筐体、パッケージ、ファン、実装図を例示している。構成要素は製品の物理的な構成だけでなく、客先情報などのソフトデータを含んでいても良いものとする。
【００１７】
図２における製品データ数は、登録に先立って設定される。またこの時、製品データを識別するためのキー情報が予約される。キー情報は、例えば登録要求番号と紐付けされたシリアル番号や、製品名などとすることができる。キー情報は登録作業中には変更できないようにしておく。これにより入力ミスを防ぐことができる。
【００１８】
図２の登録要求番号は登録作業を識別する番号であり、ここではＮＷ−＊としている。＊はシステムによって自動採番されることを示している。また各製品構成要素にも、製品データに対応して識別番号が割り当てられる。ここでは物理的な構成要素をＮＷＡ、ドキュメントなどのソフト的な構成要素をＮＷＤとしている。
【００１９】
図３に製品構成テンプレート４０に入力される情報の具体例を示す。ここでは製品として、ＰＣ−Ｘ、ルータ−Ｙ、・・・、サーバ−Ｚのｎ個の製品データが入力されている。また構成要素の具体例を、筐体、パッケージ、ファン、実装図、・・・としている。図から明らかなように、異なる製品間で共通な構成要素は同じ行に配置されている。また共通でないものも含んでいて良く、図２の例ではルータ−Ｙにはファンが無いため、ファンの欄が空欄になっている。
【００２０】
各構成要素の詳細情報は、ＢＯＭ形式で保持される。システムの操作画面としては、例えば図２のある欄をクリックすると、当該構成要素のＢＯＭが展開される、などとすることができる。
【００２１】
図４にＢＯＭテンプレート５０の構成を示す。ここでは構成要素Ａとしている。ＢＯＭテンプレート５０は構成要素Ａの物理的な構成、すなわち構成要素Ａを構成する部品の親子関係が入力される構成テンプレートＴａ１と、構成要素のＡを構成する部品の属性情報が入力される属性テンプレートＴｂ１を有する。
【００２２】
図５に構成テンプレートＴａ１の具体例を示す。この例では、親部品の親情報がＰＡ００１であり、ＰＡ００１の子部品の子情報としてＰＡ００２、ＰＡ００３、ＤＡ００１、ＤＡ００２が存在する。
【００２３】
図６は情報テンプレートＴｂ１の具体例である。図５における各子情報の番号を情報種別番号として、登録要求番号、変更防止情報、品名、その他属の属性情報を保持する。
【００２４】
次に、製品データを登録するときの本実施の形態の動作について説明する。図７はこの動作を示すシーケンス図である。登録者の操作により、まず登録する製品データの数が端末装置１０から製品データ生成装置２０に送信される（Ｓ１）。次に製品データ生成装置２０は登録製品データ数分のキー情報を予約する（Ｓ２）。次に端末装置１０は製品データを識別するキー情報を送信する（Ｓ３）。キー情報は例えば製品名とすることができる。次に製品データ生成装置２０はキー情報（ここでは製品名）に対応するＢＯＭテンプレート５０をテンプレート記憶手段２２から読み出し、ＢＯＭテンプレートにキー情報を付与する（Ｓ４）。次いで製品データ生成装置２０はこのＢＯＭテンプレート５０を端末装置１０に送信する（Ｓ５）。端末装置１０では、一番目の製品１の１番目のＢＯＭに登録する構成情報および属性情報が入力される（Ｓ６）。端末装置１０での情報入力はテンプレートに従って行うため、作業が簡単であり、入力ミスが起こり難い。入力が完了したＢＯＭテンプレート５０は候補ＢＯＭとして製品データ生成装置２０に送信される（Ｓ７）。製品データ生成装置２０は候補ＢＯＭに矛盾が無いかを調査するためのエラーチェックを行う（Ｓ８）。エラーが無ければ、候補ＢＯＭに基づいてＢＯＭを生成する（Ｓ１２）。エラーがあった場合には、エラー情報を候補ＢＯＭに付加して端末装置１０に候補ＢＯＭを送信する（Ｓ１１）。端末装置１０では、必要な修正を行い、候補ＢＯＭを返送する（Ｓ１１）。製品データ生成装置２０は、修正が完了した候補ＢＯＭに基づいてＢＯＭを生成する（Ｓ１２）。次に製品データ生成装置２０はＢＯＭを製品データ登録管理装置３０に送信する（Ｓ１３）。製品データ登録管理装置３０は製品１の構成要素１のＢＯＭを保存する（Ｓ１４）。製品１に関しては、上記の登録作業はＢＯＭの数だけ繰り返される（Ｓ１５）。これらの作業は登録する製品データのだけ繰り返される（Ｓ１６）。以上により、全ての製品の製品データ登録が完了する。なお上記の説明では、製品１の構成要素１のＢＯＭから登録するとしたが、ＢＯＭを登録する順序は順不同であり、１つの製品の全部のＢＯＭが登録される前に、他の製品のＢＯＭを登録しても問題はない。
【００２５】
以上、説明したように本実施の形態によれば、複数の製品データを効率良く登録できる。
（第２の実施の形態）
第１の実施の形態では、端末装置１０でＢＯＭテンプレート５０に情報が入力され、エラーチェックが完了するごとにＢＯＭが生成されて、製品データ登録管理装置３０に保存されていたが、本実施の形態ではＢＯＭの保存を一括して行う。
【００２６】
図８は本発明第２の実施の形態の動作を示すシーケンス図である。まず端末装置１０から登録する製品データ数が製品データ生成装置２０に送信される（Ｓ１０１）。次に製品データ生成装置２０は登録製品データ数分のキー情報を予約する（Ｓ１０２）。次に端末装置１０は製品データを識別するキー情報を製品データ生成装置２０に送信する（Ｓ１０３）。次に製品データ生成装置２０はキー情報に対応するＢＯＭテンプレート５０をテンプレート記憶手段２２から読み出し、ＢＯＭテンプレート５０にキー情報を付与する（Ｓ１０４）。次いで製品データ生成装置２０はこのＢＯＭテンプレート５０を端末装置１０に送信する（Ｓ１０５）。端末装置１０では、一番目の製品１の１番目のＢＯＭに登録する構成情報および属性情報が入力される（Ｓ１０６）。入力が完了したＢＯＭテンプレート５０は候補ＢＯＭとして製品データ生成装置２０に送信される（Ｓ１０７）。製品データ生成装置２０は候補ＢＯＭに矛盾が無いかを調査するためのエラーチェックを行う（Ｓ１０８）。エラーが無ければ、候補ＢＯＭに基づいてＢＯＭを生成する（Ｓ１１２）。エラーがあった場合には、エラー情報を候補ＢＯＭに付加して端末装置１０に候補ＢＯＭを送信する（Ｓ１０９）。端末装置１０では、必要な修正を行い、候補ＢＯＭを返送する（Ｓ１１１）。製品データ生成装置２０は、修正が完了した候補ＢＯＭに基づいてＢＯＭを生成する（Ｓ１１２）。製品１に関しては、上記の登録作業はＢＯＭの数だけ繰り返される（Ｓ１１３）。さらに、これらの作業は登録する製品データのだけ繰り返される（Ｓ１１４）。ここまでの段階で登録すべきＢＯＭが製品データ生成装置２０によって生成されている。ＢＯＭの生成が完了したら、登録者は、端末装置１０から製品データ登録要求を送信する（Ｓ１１５）。この要求を受けて製品データ生成装置２０は生成したＢＯＭと製品構成情報からなる製品データを製品データ登録管理装置３０に送信する（Ｓ１１６）。そして製品データ登録管理装置３０は製品データおよびＢＯＭを登録する。なお上記の説明では、製品１の構成要素１のＢＯＭから登録するとしたが、ＢＯＭを登録する順序は実施の形態と同様順不同である。また、全部の情報入力が終わらないうちに、製品データ登録要求を送信して、データを登録しても良い。
【００２７】
本実施の形態によれば、ＢＯＭテンプレート５０に連続して情報を入力できるため、登録作業の迅速化を図ることができる。
（第３の実施の形態）
製品構成テンプレート４０やＢＯＭテンプレート５０には適当な情報が初期値として設定されていても良い。例えばノートパソコン用に標準テンプレートやルータ用標準テンプレートなど、蓄積されたデータを参照して類似製品のデータを初期値として予め設定することができる。
【符号の説明】
【００２８】
１０    端末装置
１１    制御手段
１２    表示手段
１３    入出力手段
２０    製品データ生成装置
２１    制御手段
２２    テンプレート記憶手段
２３    キー情報付与手段
２４    ＢＯＭ生成手段
３０    製品データ登録管理装置
３１    制御手段
３２    製品構成情報記憶手段
３３    ＢＯＭ記憶手段
３４    構成情報記憶手段
３５    属性情報記憶手段
４０    製品構成テンプレート
５０    ＢＯＭテンプレート
Ｔａ１    構成テンプレート
Ｔｂ１    情報テンプレート
【図１】
2015007944.tif 000003
【図２】
2015007944.tif 000004
【図３】
2015007944.tif 000005
【図４】
2015007944.tif 000006
【図５】
2015007944.tif 000007
【図６】
2015007944.tif 000008
【図７】
2015007944.tif 000009
【図８】
2015007944.tif 000010